(57)【要約】【課題】  一般に、脱臭装置では、脱臭運転を行った積算時間が所定時間となれば、脱臭運転を停止し、ヒータに通電を開始して触媒フィルタを所定時間加熱する再生運転を行う。再生運転を行う前に臭気が発生した場合、触媒フィルタは飽和状態に近いため、臭気物質を充分に吸着できない。【解決手段】  本発明は、予め定めた所定の時間帯における臭気強度を記憶し、記憶した臭気強度の中で最大となる時間帯の前に再生運転を完了させるように設定する。【選択図】  図４
2013202329.tif 000002
【特許請求の範囲】
【請求項１】
吸込口および吹出口と、
前記吸込口と前記吹出口とを結ぶ空気通路内に設けられ、前記吸込口から吸引した空気を前記吹出口から送出させる送風機と、
前記空気通路内に配置され、前記吸込口から吸引した空気を脱臭する触媒フィルタを有する脱臭ユニットと、
前記触媒フィルタを加熱して触媒に付着した臭気物質の分解を促進させる再生運転を行うヒータユニットと、
室内の臭気強度を検出する臭気センサと、
前記臭気センサで検出した臭気強度を記憶する記憶部と、
上記各部を制御する制御部とを備え、
前記制御部は、予め定めた所定の時間帯における臭気強度を前記臭気センサで検出して前記記憶部に記憶させ、
予め定めた所定のタイミングで前記記憶部から前記臭気強度が最大となる時間帯を読み出すとともに、
前記読み出した時間帯以前で、前記読み出した時間帯にもっとも近く、且つ、所定時間に亘って前記臭気強度が所定の閾値以下となる時間帯を再生運転可能時間帯として得て、同再生運転可能時間帯で前記再生運転を完了させるように設定することを特徴とする脱臭装置。
【請求項２】
吸込口および吹出口と、
前記吸込口と前記吹出口とを結ぶ空気通路内に設けられ、前記吸込口から吸引した空気を前記吹出口から送出させる送風機と、
前記空気通路内に配置され、前記吸込口から吸引した空気を脱臭する触媒フィルタを有する脱臭ユニットと、
前記触媒フィルタを加熱して触媒に付着した臭気物質の分解を促進させる再生運転を行うヒータユニットと、
前記送風機の風量を設定変更できる風量調整手段と、
室内の臭気強度を検出する臭気センサと、
前記臭気センサで検出した臭気強度を記憶する記憶部と、
上記各部を制御する制御部とを備え、
前記制御部は、予め定めた所定の時間帯における臭気強度を前記臭気センサで検出して前記記憶部に記憶させ、また、前記予め定めた所定の時間帯における前記風量調整手段を操作して前記送風機の風量を最大とする設定変更がされたことを前記記憶部に記憶させ、
予め定めた所定のタイミングで前記送風機の風量が多くなるように設定変更された時間帯を読み出すとともに、
前記読み出した時間帯以前で、前記読み出した時間帯にもっとも近く、且つ、所定時間に亘って前記臭気強度が所定の閾値以下となる時間帯を再生運転可能時間帯として得て、同再生運転可能時間帯で前記再生運転を完了させるように設定することを特徴とする脱臭装置。
【発明の詳細な説明】
【技術分野】
【０００１】
本発明は、脱臭装置に関わり、より詳細には、触媒フィルタの脱臭機能を再生できる脱臭装置に関する。
【背景技術】
【０００２】
従来、脱臭装置は、空気中の臭気物質を吸着除去する触媒フィルタと、送風機とを備えている。送風機を駆動することによって室内空気を脱臭装置内部に吸入し、触媒フィルタに室内空気を通して臭気物質を室内空気から除去して室内に吹出すことによって、室内空気を脱臭している。
【０００３】
触媒フィルタは、脱臭装置を運転することによって経時的に機能が低下する。触媒フィルタは臭気物質の吸着が飽和状態となると、それ以上臭気物質を吸着しなくなる。
【０００４】
そこで、触媒フィルタに吸着された臭気物質を除去して触媒フィルタを再生利用するために、触媒フィルタの近傍にヒータを配置し、臭気物質の脱臭機能が低下してきた際には、ヒータで触媒フィルタを加熱し、触媒フィルタに吸着されている臭気物質の分解を促進することのできる脱臭装置が提案されている。（例えば、特許文献１参照）
【０００５】
一般に、脱臭装置では、脱臭運転を行った積算時間が所定時間となれば、脱臭運転を停止し、ヒータに通電を開始して触媒フィルタを所定時間加熱する再生運転を行う。これにより、触媒フィルタを交換することなく脱臭運転を長時間行うことができる。
【先行技術文献】
【特許文献】
【０００６】
【特許文献１】特開２００７―４４４３３号公報
【発明の概要】
【発明が解決しようとする課題】
【０００７】
しかしながら、再生運転を脱臭運転の積算時間で行うものにおいては、再生運転を行う前に強い臭気が発生した場合、触媒フィルタが飽和状態に近くなっていると、その臭気物質を充分に吸着できないおそれがあった。
【０００８】
そこで、本発明は、上記の問題点を解決するため、予め定めた所定の時間帯における臭気強度を記憶し、記憶した臭気強度の中で最大となる時間帯の前に再生運転を完了させることによって、触媒フィルタを臭気物質を充分に吸着できる状態にする脱臭装置を提供することを目的としたものである。
【課題を解決するための手段】
【０００９】
上述した課題を解決し、目的を達成するために、本発明の脱臭装置は、吸込口および吹出口と、前記吸込口と前記吹出口とを結ぶ空気通路内に設けられ、前記吸込口から吸引した空気を前記吹出口から送出させる送風機と、前記空気通路内に配置され、前記吸込口から吸引した空気を脱臭する触媒フィルタを有する脱臭ユニットと、前記触媒フィルタを加熱して触媒に付着した臭気物質の分解を促進させる再生運転を行うヒータユニットと、室内の臭気強度を検出する臭気センサと、前記臭気センサで検出した臭気強度を記憶する記憶部と、上記各部を制御する制御部とを備え、前記制御部は、予め定めた所定の時間帯における臭気強度を前記臭気センサで検出して前記記憶部に記憶させ、予め定めた所定のタイミングで前記記憶部から前記臭気強度が最大となる時間帯を読み出すとともに、前記読み出した時間帯以前で、前記読み出した時間帯にもっとも近く、且つ、所定時間に亘って前記臭気強度が所定の閾値以下となる時間帯を再生運転可能時間帯として得て、同再生運転可能時間帯で前記再生運転を完了させるように設定する。
【００１０】
また、吸込口および吹出口と、前記吸込口と前記吹出口とを結ぶ空気通路内に設けられ、前記吸込口から吸引した空気を前記吹出口から送出させる送風機と、前記空気通路内に配置され、前記吸込口から吸引した空気を脱臭する触媒フィルタを有する脱臭ユニットと、前記触媒フィルタを加熱して触媒に付着した臭気物質の分解を促進させる再生運転を行うヒータユニットと、前記送風機の風量を設定変更できる風量調整手段と、室内の臭気強度を検出する臭気センサと、前記臭気センサで検出した臭気強度を記憶する記憶部と、上記各部を制御する制御部とを備え、前記制御部は、予め定めた所定の時間帯における臭気強度を前記臭気センサで検出して前記記憶部に記憶させ、また、前記予め定めた所定の時間帯における前記風量調整手段を操作して前記送風機の風量を最大とする設定変更がされたことを前記記憶部に記憶させ、予め定めた所定のタイミングで前記送風機の風量が多くなるように設定変更された時間帯を読み出すとともに、前記読み出した時間帯以前で、前記読み出した時間帯にもっとも近く、且つ、所定時間に亘って前記臭気強度が所定の閾値以下となる時間帯を再生運転可能時間帯として得て、同再生運転可能時間帯で前記再生運転を完了させるように設定する。
【発明の効果】
【００１１】
本発明によれば、記憶した臭気強度の中で最大となる時間帯の前に再生運転を完了させるようにしているので、触媒フィルタは臭気物質を充分に吸着することができる状態となる。
【図面の簡単な説明】
【００１２】
【図１】図１は、本発明にかかる脱臭装置の外観斜視図である。
【図２】図２は、図１のＸ−Ｘ線断面図である。
【図３】図３は、本発明にかかる脱臭装置の脱臭に関係する部品の分解斜視図である。
【図４】図４は、本発明にかかる脱臭装置の制御フロー図である。
【図５】図５は、本発明にかかる脱臭装置の制御フロー図である。
【図６】図６は、本発明にかかる脱臭装置が一日に検出した臭気強度を示した第一実施例の図である。
【図７】図７は、本発明にかかる脱臭装置が一日に検出した臭気強度を示した第二実施例の図である。
【図８】図８は、本発明にかかる脱臭装置が一日に検出した臭気強度を示した第三実施例の図である。
【発明を実施するための形態】
【００１３】
以下に、本発明にかかる脱臭装置の実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。
【実施例】
【００１４】
まず、脱臭装置の外観の構成を説明する。図１は、本発明にかかる脱臭装置１００の外観斜視図である。
【００１５】
脱臭装置１００は、図１に示すように、筐体１０が縦長の略直方体形状で構成されており、面積の最も大きい一方の側面を前面パネル３２とし、前面パネル３２と対向する他方の側面を背面パネル３４として（図２参照）、背面パネル３４には多数の開口部を設けた空気の吸込口２６が形成されている。前面パネル３２と背面パネル３４以外の両側面パネルには、脱臭装置１００を持ち運ぶための把手を兼ねた凹部１０ａが形成されている。また、筐体１０の上面には、ユーザが脱臭装置１００を運転操作するための各種ボタンや表示ランプ等が配置された操作パネル４４と、その操作パネル４４に隣接する位置には、手動により吹出口２８を開閉する矩形状のルーバ３０とが配されている。この操作パネル４４にあるボタンをユーザが操作することで、例えば風量を「急速運転」などに変更することができる。また、筐体１０の上面部と前面パネル３２とが接する一辺の角部には、後述する臭気センサ６０、温度センサ６２、湿度センサ６４をまとめたセンサユニットが配置されている。
【００１６】
次に、脱臭装置１００の具体的な内部構成について図２を用いて説明する。図２は、図１のＸ−Ｘ線断面図である。
【００１７】
本実施例の脱臭装置１００における構成は、図２に示すように、筐体１０内には吸込口２６と吹出口２８を結ぶ空気通路が形成されている。この空気通路の途中に設けられた送風機１２は、ファンモータ１２ａとファン１２ｂで構成され、ファンモータ１２ａがファン１２ｂを回転させることによって、吸込口２６から外部空気を吸引する（白抜き矢印Ａ）。吸引された空気は、既存の脱臭装置等で使用されているプレフィルタ５０、集塵フィルタ５２、および後述する脱臭ユニット５４を通過する間に、除塵・脱臭処理が行われる。送風機１２の風上側であって脱臭ユニット５４の風下側には、気化フィルタユニット１４が配置されている。この気化フィルタユニット１４は、水を吸水して湿潤した状態で空気が通過する間に、水が気化して空気を加湿するものである。そして、送風機１２は、気化フィルタユニット１４で加湿された空気を上方へ伸びる空気通路へと送り出し（白抜き矢印Ｂ）、上面のルーバ３０を開けた吹出口２８から外部に送出させる（白抜き矢印Ｅ）。送風機１２の風下側から上方へ伸びるメインの空気通路（白抜き矢印Ｂ）から空気の流れを分岐させ（白抜き矢印Ｃ）、オゾン発生ユニット１６内に取り込まれた空気を使ってＵＶランプ１６ａによりオゾンを発生させている。また、筐体１０の吹出口２８付近の空気通路内には、イオン発生器としてのイオナイザ４６がオゾン発生ユニット１６とは別に配置されている。
【００１８】
吸引された空気を脱臭する脱臭ユニット５４について、図３を基に説明する。脱臭ユニット５４は、臭気物質を吸着して分解する触媒フィルタ５４ａと、この触媒フィルタ５４ａを加熱して吸着した臭気物質の分解を促進するヒータユニット５４ｂと、触媒フィルタ５４ａとヒータユニット５４ｂの外周を囲って配置される環状断熱材５４ｃとを備えている。
【００１９】
触媒フィルタ５４ａは、アルミ合金製で通気性を有するハニカムコアボードの表面に、酸化マンガンなどの金属酸化物やプラチナなどの貴金属の触媒を所定の厚さにコーティングして形成される。なお、吸着剤として活性炭や各種セラミックス粉末などをさらに添加することが好ましい。さらには、抗菌剤や防かび剤などが添加されることも好ましい。そして、触媒フィルタ５４ａは、基本的に加熱により吸着した臭気成分を分解できる構造（吸着分解型）であればよく、その他の吸着分解構造を有する触媒フィルタであってもよい。
【００２０】
ヒータユニット５４ｂは、保持プレート５４ｄにヒータ本体としてのシーズヒータ５４ｅを保持させて構成される。シーズヒータ５４ｅは、一般に知られるように、金属パイプ内にスパイラル発熱体を配置し、この発熱体と金属パイプとの間の空間部に熱伝導の良い高絶縁粉末を充填して構成されたものである。
【００２１】
保持プレート５４ｄは、多数の透孔によって通気性が確保された金属製のパンチングプレートで形成されている。周縁部がプレス加工などにより裏側方向（図中左側）に折曲された側壁を有して全体として矩形容器状に形成される。保持プレート５４ｄは、側壁で囲まれた裏側（内方側）にシーズヒータ５４ｅが保持されるようになっており、その側壁で囲まれた内方に触媒フィルタ５４ａが収納される。このとき、触媒フィルタ５４ａは、保持プレート５４ｄの裏側面（片側面）に面対向して配置されている。
【００２２】
このように、脱臭ユニット５４は、触媒フィルタ５４ａとヒータユニット５４ｂとの周囲を環状断熱材５４ｃとで覆われているため、ヒータユニット５４ｂの加熱時の熱が他の部材に影響を与えることを極力防止するとともに、触媒フィルタ５４ａ全体を効率よく加熱することが可能となり、加熱再生時間を短縮することができる。
【００２３】
筐体１０の背面パネル３４の上部には、図２に示すように、脱臭装置１００を制御するメイン基板４０が配置されている。このメイン基板４０は、脱臭装置１００の動作を制御する制御部を備えている。制御部は、操作パネル４４からの指示に基づいて、運転制御を行う。例えば、制御部は、加湿運転モード、脱臭運転モードあるいは再生運転モードにおいて、送風機１２のファンモータ１２ａ、回転型の気化フィルタユニット１４を回転させるフィルタ回転モータを制御すると共に、オゾン発生ユニット１６内でオゾン発生させるＵＶランプ１６ａの点灯制御、あるいは、イオナイザ４６のＯＮ／ＯＦＦ制御を行う。また、本発明の脱臭装置１００の制御部では、脱臭運転モードにおいて、金属酸化物半導体センサなどを用いた臭気センサ６０で検出した臭気強度に応じて、送風機１２の風量の切り替え制御を行っている。
【００２４】
本発明の脱臭装置１００は、臭気センサ６０で検出した室内の臭気強度を記憶する記憶部（以下、メモリと記載）を制御部内に備えている。このメモリには、一日を１０分毎に区切った時間帯に分割し、各時間帯毎に臭気センサ６０で検出した臭気強度を一周間分記憶している。なお、臭気強度を記憶する期間および時間帯はメモリの容量などに応じて適宜変更しても良い。また、このメモリは、ユーザが風量を多くするように設定変更した情報も時間帯毎に記憶している。
【００２５】
上記の構成を用いた本実施例の脱臭装置１００における脱臭運転モードおよび再生運転モードについて、以下に説明する。
【００２６】
初めに、本実施例の脱臭運転モードについて説明する。本実施例の脱臭運転モードは、ＵＶランプ１６ａによりオゾンを発生させ、イオナイザ４６をＯＮにして、気化フィルタユニット１４の回転を停止した状態で設定風量にて送風運転を行うことで、吸込口２６から吸込んだ空気の除菌および脱臭を行う運転モードである。脱臭運転モードには、弱運転、強運転、急速運転、自動運転の４種類が設けられている。弱運転の風量は、「弱」の１段階、強運転の風量は、「強」の１段階、急速運転の風量は「急速」の１段階、自動運転の風量は、「中Ｌ（ロー）」、「中Ｈ（ハイ）」、「強」の３段階となる。「急速」とは、「強」よりも風量が多く、「中Ｌ（ロー）」と「中Ｈ（ハイ）」は、「強」と「弱」の間の２段階の風量をいう。弱運転と強運転は、決められた風量により脱臭運転が行われるが、自動運転は臭気センサ６０で検出した臭気強度に応じて風量を変化させる。例えば、検出した臭気強度が高いと、風量を多くして脱臭能力を高め、臭気強度が一定レベル以下になると、少ない風量で運転する。また、急速運転は、設定後１時間「急速」で運転を行い、その後は、自動運転に移行する。
【００２７】
ユーザが操作パネル４４を操作して脱臭運転モードと設定風量を設定すると、メイン基板４０の制御部は、ＵＶランプ１６ａを点灯させてオゾンを発生させ、イオナイザ４６をＯＮするとともに、気化フィルタユニット１４の回転を停止した状態で送風機１２を設定風量にて送風運転を行うよう制御する。吸込口２６から吸引された空気は、プレフィルタ５０と集塵フィルタ５２を通過し、脱臭ユニット５４の触媒フィルタ５４ａを通過する際に、臭気物質が触媒に吸着され、除塵および脱臭された空気を吹出口２８から室内に放出して循環させることにより、室内の空気を徐々に脱臭することができる。なお、ユーザが風量を変更するには、風量変更調整手段である風量調整部を操作して、風量の調整を行う。
【００２８】
設定風量が弱運転の場合は、「弱」の風量で運転を行い、強運転の場合は、「強」の風量で運転を行う。設定風量が自動運転の場合は、臭気センサ６０で検出した臭気強度に応じて風量が「中Ｌ（ロー）」、「中Ｈ（ハイ）」、「強」に変化する。メイン基板４０の制御部は、検出した臭気強度が所定の閾値より高くなると、送風機１２の風量を多くして脱臭能力を高め、臭気強度が所定の閾値以下になると、送風機１２を少ない風量で運転制御する。設定風量が急速運転の場合は、設定後１時間だけ「強」よりも風量の多い「急速」で運転を行い、その後は、自動運転に移行する。
【００２９】
次に、本実施例の再生運転モードについて説明する。本実施例の再生運転モードでは、送風機１２は停止しており、吸込口２６から空気が吸込まれず、空気がプレフィルタ５０、集塵フィルタ５２、脱臭ユニット５４を通過することはない。制御部が、ヒータユニット５４ｂに通電させることで、ヒータユニット５４ｂを発熱させる。ヒータユニット５４ｂを発熱させることで、隣接する触媒フィルタ５４ａは徐々に加熱される。この時、図示しない温度センサにて触媒フィルタ５４ａの温度を監視し、設定温度になると、タイマーがスタートし、触媒フィルタ５４ａが再生するのに必要な時間である所定時間経過すると、タイムアップし、ヒータユニット５４ｂへの通電を停止することで、ヒータユニット５４ｂの発熱を止め、再生運転モードが終了する。
【００３０】
次に、本発明の脱臭装置１００の再生運転に関する制御方法について図４、図５を基に説明する。
【００３１】
この再生運転に関する制御方法は、臭気強度が最大になった時間帯（以下、ピーク時間帯と記載）より以前で、再生運転を行うものである。これは、ユーザの生活習慣に基づいて、臭気強度が一定の傾向で変化することに着目したものである。そこで、本発明の脱臭装置１００は、ユーザの生活習慣に基づく臭気強度の一定の傾向を求めるために、室内の臭気強度を一週間に渡って予め定めた時間帯毎に記憶し、記憶した臭気強度のデータから時間帯毎に一周間分の平均値を求め、求めた平均値を時間帯毎の平均臭気強度とする統計処理を行っている。また、これと同時に、時間帯毎に風量調整部を操作して送風機１２の風量を「急速」に設定変更した情報も記憶している。
【００３２】
本発明の脱臭装置１００における再生運転に関する制御方法について、図４と図５を基に説明する。なお、本実施例では一日一回、再生運転モードを行う時間帯を設定しているが、本発明はこれに限定したものではなく、数日に一回や数週間に一回などに適宜変更してもよい。
【００３３】
再生運転モードを行う時間帯の設定手順について、図４のフロー図に沿って説明する。予め定めた所定の時刻、例えば２４時になると、制御部は、メモリから一週間分の臭気強度のデータを読み出し（Ｓ１０１）、読みだした一週間分の臭気強度のデータを統計処理することで、時間帯毎の平均臭気強度のデータを算出する（Ｓ１０２）。本実施例では、日付が変わる２４時にメモリから一週間分の臭気強度のデータを読み出しているが、本発明はこれに限定したものではなく、臭気強度が少ない時間帯など適宜変更しても良い。
【００３４】
次に、算出した時間帯毎の平均臭気強度のデータから、臭気強度が最大になる時間帯を読み出す（Ｓ１０３）。Ｓ１０３の読み出し手順については、図５を基に説明する。制御部は、メモリ内に「急速運転」に設定変更した時間帯が記憶されているか否かを確認する（Ｓ２０１）。もし、「急速運転」に設定変更した時間帯が記憶されていた（Ｓ２０１−ＹＥＳ）場合、「急速運転」に変更した時間帯の中で臭気強度が最大になった時間帯（ピーク時間帯）を読み出す（Ｓ２０２）。もし、「急速運転」に設定変更した時間帯が記憶されていない（Ｓ２０１−ＮＯ）場合、一日の中で臭気強度が最大になった時間帯（ピーク時間帯）を読み出す（Ｓ２０３）。
【００３５】
制御部は、読み出したピーク時間帯の中で、時間軸で連続した時間帯であるか否かを確認する（Ｓ２０４）。もし、時間軸で連続する時間帯である（Ｓ２０４−ＹＥＳ）場合、時間軸で連続する時間帯の中で、時間軸で一番早い時間帯のみをピーク時間帯として読み出して、他の時間帯は削除し（Ｓ２０５）、図４のＳ１０４に進む。もし、時間軸で連続する時間帯が存在しない（Ｓ２０４−ＮＯ）場合、図４のＳ１０４に進む。
【００３６】
制御部は、Ｓ１０３で読み出したピーク時間帯より以前で、臭気強度が予め設定された閾値よりも低い時間帯を読み出す（Ｓ１０４）。制御部は、Ｓ１０４で読み出した時間帯の中で、所定時間（再生運転が実施可能な時間）に亘って臭気強度が閾値以下となる時間帯を読み出す（Ｓ１０５）。制御部は、Ｓ１０５で読み出した時間帯の中で、ピーク時間帯に最も近い時間帯を読み出す（Ｓ１０６）。制御部は、Ｓ１０６で読み出した時間帯で再生運転を完了させるように設定する。これにより、一日の中で臭気強度が最大となる時間帯より以前で、脱臭フィルタの脱臭能力を再生してから脱臭運転を行える。
【００３７】
時間帯毎の平均臭気強度のパターンを図６ないし図８のように複数パターン示す。図６は一日の中で臭気強度のピークが一つある場合のパターンで、図７は一日の中で臭気強度のピークが２つある場合のパターンで、図８は臭気強度が常に閾値よりも高い場合のパターンである。図６のパターンを第一実施例、図７のパターンを第二実施例、図８のパターンを第三実施例として説明する。図６ないし図８に示される上向き黒矢印は、「急速運転」に切り替えたことを示し、矢印が指している時間帯が、風量調整部を操作して送風機１２の風量を「急速」に切り替えた時間帯である。
【００３８】
（第一実施例）
図６に示すように、例えば１７時ごろに臭気強度のピークが来るようなパターンの場合での本発明の脱臭装置１００の再生運転について説明する。図６（ａ）は臭気強度が最大となる時間帯（以下、ピーク時間帯と記載）より前の時間帯であって、ピーク時間帯から臭気強度が所定の臭気強度（例えば、人が臭気を感じる程度の臭気強度（以下、閾値と記載））を超える時間帯までの間隔が、所定時間（再生運転に要する時間）以上ある場合のパターンである。図６（ｂ）はピーク時間帯より前の時間帯であって、ピーク時間帯から臭気強度が閾値を超える時間帯までの間隔が、所定時間未満である場合のパターンである。図６（ｃ）は図６（ａ）と同じパターンで、風量が「急速運転」に変更された時間帯がある場合を示すパターンである。なお、本実施例の閾値は、人が臭気を感じる臭気強度であれば良く、閾値の値は適宜変更しても良い。
【００３９】
図６（ａ）の場合について以下に説明する。時間帯毎の平均臭気強度は算出してあるので、図４に示すフロチャートではＳ１０２まで進んだことになる。フロチャートのＳ１０３以降について説明する。図５のＳ２０１に示すように、制御部は「急速運転」に設定変更した時間帯があるか否かを確認する。図６（ａ）に示すように、「急速運転」に設定変更した時間帯は無いので、制御部は「ＮＯ」を選択する（Ｓ２０１−ＮＯ）。
【００４０】
Ｓ２０３に示すように、制御部は一日の中で臭気強度が最大となる時間帯、「１６時５０分から１７時（以下、１６時５０分と記載）」、「１７時から１７時１０分（以下、１７時と記載）」、「１７時１０分から１７時２０分（以下、１７時１０分と記載）」をピーク時間帯として読み出す。
【００４１】
Ｓ２０４に示すように、制御部はＳ２０３で読み出したピーク時間帯「１６時５０分」、「１７時」、「１７時１０分」が時間軸で連続した時間帯であるか否かを確認する。読み出したピーク時間帯が「１６時５０分」、「１７時」、「１７時１０分」と区分けした間隔で連続しているため、制御部は「ＹＥＳ」を選択する（Ｓ２０３−ＹＥＳ）。
【００４２】
Ｓ２０５に示すように、Ｓ２０４で読み出したピーク時間帯「１６時５０分」、「１７時」、「１７時１０分」の中で、時間軸で一番早い時間帯である「１６時５０分」をピーク時間帯として読み出す。
【００４３】
Ｓ１０４に示すように、制御部はＳ２０５で読み出したピーク時間帯「１６時５０分」より以前で、臭気強度が閾値である１以下となる時間帯、「１１時から１５時」、「７時から９時」、「０時から５時」を読み出す。なお、本実施例では閾値を１と設定しているが本発明はこれに限定したものではなく、ユーザが気にならない臭気強度であれば良いので、１よりも高くても低くても良い。
【００４４】
Ｓ１０５に示すように、制御部はＳ１０４で読み出した時間帯「１１時から１５時」、「７時から９時」、「０時から５時」の中から、再生運転に必要な時間である所定時間（本実施例としては９０分間）以上連続して閾値以下となる時間帯である時間帯「１１時から１５時」、「７時から９時」、「０時から５時」を読み出す。なお、本実施例では所定時間を９０分間としているが、本発明はこれに限定したものではなく、再生運転に必要な時間が確保できれば良く、所定時間を本実施例よりも長くしても短くしても良い。
【００４５】
Ｓ１０６に示すように、制御部はＳ１０５で読み出した時間帯「１１時から１５時」、「７時から９時」、「０時から５時」の中から、ピーク時間帯「１６時５０分」に最も最も近い時間帯「１１時から１５時」を再生運転可能時間帯として読み出す。
【００４６】
Ｓ１０７に示すように、制御部はＳ１０６で読み出した再生運転可能時間帯「１１時から１５時」で再生運転が完了するように再生運転の開始時刻および終了時刻を設定する。これにより、図６（ａ）の場合は、「１１時から１５時」に再生運転を実行する。
【００４７】
図６（ｂ）の場合は、Ｓ１０１からＳ２０５までは、図６（ａ）の場合と同様である。Ｓ１０４以降について説明する。Ｓ１０４に示すように、制御部はピーク時間帯「１６時５０分」より以前で、臭気強度が閾値１以下となる時間帯、「１４時から１５時」「７時から１２時」、「０時から５時」を読み出す。
【００４８】
Ｓ１０５に示すように、制御部はＳ１０４で読み出した時間帯「１４時から１５時」、「７時から１２時」、「０時から５時」の中から、所定時間である９０分間以上連続して閾値以下の時間帯「７時から１２時」、「０時から５時」を読み出す。「１４時から１５時」は、所定時間である９０分間以上連続していないため、読み出されない。
【００４９】
Ｓ１０６に示すように、制御部はＳ１０５で読み出した時間帯「７時から１２時」、「０時から５時」の中から、ピーク時間帯「１６時５０分」に最も近い時間帯である「７時から１２時」を再生運転可能時間帯として読み出す。
【００５０】
Ｓ１０７に示すように、制御部はＳ１０６で読み出した再生運転可能時間帯「７時から１２時」で再生運転を実行するように再生運転の開始時刻および終了時刻を設定する。これにより、図６（ｂ）の場合は、「７時から１２時」を再生運転可能時間帯に設定し、この時間帯に再生運転を実行する。
【００５１】
図６（ｃ）の場合は、Ｓ１０１とＳ１０２までは、図６（ａ）の場合と同様である。Ｓ２０１以降について説明する。Ｓ２０１に示すように、制御部は「急速運転」に設定変更した時間帯があるか否かを確認する。この例では、図６（ｃ）に示すように、「急速運転」に設定変更した時間帯があるので、制御部は「ＹＥＳ」を選択する（Ｓ２０１−ＹＥＳ）。
【００５２】
Ｓ２０２に示すように、制御部は「急速運転」に設定変更した時間帯の中で臭気強度が最大となる時間帯、「９時３０分から９時４０分（以下、９時３０分と記載）」をピーク時間帯として読み出す。
【００５３】
Ｓ２０４に示すように、制御部はＳ２０２で読み出したピーク時間帯「９時３０分」が時間軸で連続しているか否かを確認する。この例では、読み出したピーク時間帯が「９時３０分」だけであるため、制御部は「ＮＯ」を選択し（Ｓ２０２−ＮＯ）、読み出した時間帯「９時３０分」をピーク時間帯とする。以下、Ｓ１０４以降は図６（ａ）の場合と同様に進める。図６（ｃ）の場合、「７時から９時」を再生運転可能時間帯に設定し、この時間帯に再生運転を実行する。本実施例では、ユーザが風量調整部を操作して送風機１２の風量を「急速運転」に切り替えた時間帯を記憶し「急速運転」に切り替えた時間帯の有無で、ユーザが不快に感じた臭気が発生したことを検知している。これにより、本実施例の脱臭装置はユーザが不快に感じる臭気が発生する前に再生運転を完了させるようにしているので、触媒フィルタ５４ａはユーザが不快に感じる臭気を充分に吸着することができる。
【００５４】
（第二実施例）
図７（ａ）に示すように、６時ごろと１７時ごろに臭気強度のピークが来るようなパターンの場合における本発明の脱臭装置１００の再生運転について以下に説明する。図７（ａ）はピーク時間帯より前の時間帯であって、ピーク時間帯から臭気強度が閾値を超える時間帯までの間隔が、所定時間以上ある場合のパターンである。図７（ｂ）はピーク時間帯より前の時間帯であって、ピーク時間帯から臭気強度が閾値を超える時間帯までの間隔が、所定時間未満である場合のパターンである。図７（ｃ）は図７（ｂ）と同じパターンで、風量が「急速運転」に変更された時間帯がある場合を示すパターンである。
【００５５】
図７（ａ）の場合について説明する。Ｓ１０１からＳ２０１までは、図６（ａ）の場合と同様である。Ｓ２０３以降について説明する。
【００５６】
Ｓ２０３に示すように、制御部は一日の中で臭気強度が最大となる時間帯、「５時５０分から６時（以下、５時５０分と記載）」、「６時から６時１０分（以下、６時と記載）」、「６時１０分から６時２０分（以下、６時１０分と記載）」、「１６時５０分から１７時（以下、１６時５０分と記載）」、「１７時から１７時１０分（以下、１７時と記載）」、「１７時１０分から１７時２０分（以下、１７時１０分と記載）」をピーク時間帯として読み出す。
【００５７】
Ｓ２０４に示すように、制御部はＳ２０３で読み出したピーク時間帯「５時５０分」、「６時」、「６時１０分」、「１６時５０分」、「１７時」、「１７時１０分」が連続した時間帯であるか否かを確認する。この例では、読み出したピーク時間帯が「５時５０分」、「６時」、「６時１０分」と、「１６時５０分」「１７時」、「１７時１０分」と其々が区分けした間隔で連続しているため、制御部は「ＹＥＳ」を選択する（Ｓ２０４−ＹＥＳ）。
【００５８】
Ｓ２０５に示すように、Ｓ２０３で読み出したピーク時間帯「５時５０分」、「６時」、「６時１０分」の中で、時間軸が一番早いピーク時間帯である「５時５０分」をピーク時間帯として読み出す。また、Ｓ２０３で読み出したピーク時間帯「１６時５０分」、「１７時」、「１７時１０分」についても同様に、「１６時５０分」をピーク時間帯として読み出す。
【００５９】
Ｓ１０４に示すように、制御部はＳ２０５で読み出したピーク時間帯「５時５０分」と「１６時５０分」より以前で、臭気強度が閾値以下の時間帯を其々で読み出す。ピーク時間帯が「１６時５０分」に対する臭気強度が閾値以下となる時間帯「１１時から１５時」、「７時から９時」、「０時から５時」を読み出す。ピーク時間帯が「５時５０分」に対する臭気強度が閾値以下となる時間帯「０時から５時」を読み出す。
【００６０】
Ｓ１０５に示すように、制御部はピーク時間帯「１６時５０分」に対するＳ１０４で読み出した時間帯「１１時から１５時」、「７時から９時」、「０時から５時」の中から、所定時間である９０分間以上連続して閾値以下となる時間帯「１１時から１５時」、「７時から９時」、「０時から５時」を読み出す。また、ピーク時間帯が「５時５０分」に対するＳ１０４で読み出した時間帯「０時から５時」の中から、所定時間である９０分間以上連続して閾値以下となる時間帯「０時から５時」も読み出す。
【００６１】
Ｓ１０６に示すように、制御部はピーク時間帯「１６時５０分」に対するＳ１０５で読み出した時間帯「１１時から１５時」、「７時から９時」、「０時から５時」の中から、ピーク時間帯「１６時５０分」に最も近い時間帯である「１１時から１５時」を再生運転可能時間帯として読み出す。また、ピーク時間帯「５時５０分」に最も近い時間帯である「０時から５時」も同様に再生運転可能時間帯として読み出す。
【００６２】
Ｓ１０７に示すように、制御部はＳ１０６で読み出した再生運転可能時間帯「１１時から１５時」と「０時から５時」で再生運転を実行するように再生運転の開始時刻および終了時刻を設定する。これにより、図７（ａ）の場合は、「１１時から１５時」と「０時から５時」を再生運転可能時間帯に設定し、この時間帯に再生運転を実行する。なお、本実施例では、臭気強度が所定の閾値以下となる時間帯に再生運転を行っているが、これは再生運転中は脱臭運転を行えないので、臭気があまり発生していない時間帯に実行することが好ましいからである。
【００６３】
図７（ｂ）の場合について説明する。Ｓ１０１からＳ２０１までは、図７（ａ）の場合と同様である。Ｓ２０３以降について説明する。
【００６４】
Ｓ２０３に示すように、制御部は一日の中で臭気強度が最大となる時間帯「１３時２０分から１３時３０分（以下、１３時２０分と記載）」、「１３時３０分から１３時４０分（以下、１３時３０分と記載）」、「１３時４０分から１３時５０分（以下、１３時４０分と記載）」、「１６時５０分から１７時（以下、１６時５０分と記載）」、「１７時から１７時１０分（以下、１７時と記載）」、「１７時１０分から１７時２０分（以下、１７時１０分と記載）」をピーク時間帯として読み出す。
【００６５】
Ｓ２０４とＳ２０５も図７（ａ）と同様に行い、「１３時２０分」と「１６時５０分」をピーク時間帯として読み出す。
【００６６】
Ｓ１０４に示すように、制御部はピーク時間帯「１３時２０分」と「１６時５０分」より以前で、臭気強度が閾値以下の時間帯を夫々で読み出す。この例では、ピーク時間帯が「１３時２０分」に対する臭気強度が閾値以下となる時間帯、「１０時から１１時」、「０時から９時」を読み出す。ピーク時間帯が「１６時５０分」に対する臭気強度が閾値以下となる時間帯「１０時から１１時」、「０時から９時」を読み出す。
【００６７】
Ｓ１０５以降については、図７（ａ）の場合と同様に行い、制御部は読み出した「０時から９時」で再生運転を実行するように再生運転の開始時刻および終了時刻を設定する。これにより、図７（ｂ）の場合は、「０時から９時」を再生運転可能時間帯に設定し、この時間帯に再生運転を実行する。
【００６８】
図７（ｃ）の場合について説明する。Ｓ１０１とＳ１０２までは、図７（ｃ）の場合と同様である。
【００６９】
Ｓ１０３では、図６（ｃ）と同様に、制御部は「急速運転」に変更した時間帯があるので、制御部は「ＹＥＳ」を選択する（Ｓ１０３−ＹＥＳ）。
【００７０】
Ｓ２０２に示すように、制御部は「急速運転」に変更した時間帯の中で臭気強度が最大となる時間帯、「１７時から１７時１０分（以下、１７時と記載）」をピーク時間帯として読み出す。
【００７１】
Ｓ２０４以降については、図６（ｃ）と同様に進める。図７（ｃ）の場合、制御部は「１０時から１２時」を再生運転可能時間帯に設定し、この時間帯に再生運転を実行する。
【００７２】
（第三実施例）
図８の場合について説明する。図８に示すように、臭気強度が常に閾値よりも高い場合における本発明の脱臭装置１００の再生運転について以下に説明する。
【００７３】
なお、図８に示すように臭気強度が閾値以下となる時間帯が存在しないので、一日の中で臭気強度が最大となる時間帯「１６時５０分から１７時（以下１６時５０分と記載）」をピーク時間帯として読み出す。読み出した「１６時５０分」から所定時間分である９０分前にある時間帯からピーク時間帯まで「１５時２０分から１６時５０分」を再生運転可能時間帯に設定し、再生運転を完了させる。なお、図８のパターン以外で、臭気強度が常に閾値よりも高い場合は、ピーク時間帯より所定時間前からピーク時間帯までの時間帯を強制的に再生運転可能時間帯に設定し、この時間帯に再生運転を実行する。
【００７４】
なお、本発明ではピーク時間帯より前に再生運転を実行するように設定しているが、これに加えて、深夜などの長時間にわたって臭気強度が閾値以下の時間帯にも再生運転を実行することで、脱臭運転を行う必要性が少ない時に脱臭ユニットを再生させるようにしても良い。
【符号の説明】
【００７５】
１００    脱臭装置
１０      筺体
１２      送風機
１２ａ    ファンモータ
１２ｂ    ファン
１４      気化フィルタユニット
５０      プレフィルタ
５２      集塵フィルタ
５４      脱臭ユニット
５４ａ    触媒フィルタ
５４ｂ    ヒータユニット
４０      メイン基板
６０      臭気センサ
【図１】
2013202329.tif 000003
【図２】
2013202329.tif 000004
【図３】
2013202329.tif 000005
【図４】
2013202329.tif 000006
【図５】
2013202329.tif 000007
【図６】
2013202329.tif 000008
【図７】
2013202329.tif 000009
【図８】
2013202329.tif 000010